(57)【要約】【課題】片面粘着テープの無芯巻回物とその製造方法及びその製造装置を提供する。【解決手段】基材の片面に粘着剤層を設けた片面粘着テープの無芯巻回物であって、該巻回物内周側における粘着テープの巻き始め端部から１周以上の部分が粘着剤層を外側として巻回されており、次いで粘着テープが反対方向に折り返され、粘着剤層を内側として残部が巻き始めと逆方向に巻回されていることを特徴とする粘着テープ無芯巻回物。【選択図】　図１
2004035215.tif 000002
【特許請求の範囲】
【請求項１】
基材の片面に粘着剤層を設けた片面粘着テープの無芯巻回物であって、該巻回物の中空部側に位置する片面粘着テープの巻き始め端部から最初の１周以上の部分が粘着剤層を外側として巻回され、次いで片面粘着テープが最初の１周以上の部分の巻回方向と反対方向に折り返され、それによって形成される折り返し端部を起点として片面粘着テープの残部が巻き始めの巻回方向と反対方向に粘着剤層を内側として巻回されていることを特徴とする片面粘着テープ無芯巻回物。
【請求項２】
片面粘着テープの前記粘着剤層を外側として巻回されている部分が、巻き始め端部から１周以上、２周以内の巻回部分であることを特徴とする請求項１記載の片面粘着テープ無芯巻回物。
【請求項３】
巻取軸上に粘着剤層を外側として片面粘着テープの巻き始め端部を仮固定して一周以上巻回し、次いで、片面粘着テープを折り返して折り返し端部を形成し、該折り返し端部から粘着剤層を内側として片面粘着テープ残部の巻回を行い、巻回終了後、巻取軸から片面粘着テープ巻回物を引き抜くことを特徴とする片面粘着テープ無芯巻回物の製造方法。
【請求項４】
片面粘着シート巻回物から繰り出される片面粘着シートを所定幅に切断して供給される並列する複数の片面粘着テープ群の各巻き始め端部を同一巻取軸上に粘着剤層を外側として仮固定して一周以上巻回し、次いで、巻取軸の回転を逆転させて各片面粘着テープを反対方向に折り返し、それによって形成された折り返し端部を起点として粘着剤層を内側として各片面粘着テープの残部の巻回を行い、巻回終了後、各片面粘着テープ巻回物を巻取軸から引き抜くことを特徴とする片面粘着テープ無芯巻回物の製造方法。
【請求項５】
前記折り返し端部から粘着剤層を内側として各片面粘着テープの残部の巻回を行う際に、前記折り返し端部から反対方向への巻回に先だって、巻取軸上の全ての片面粘着テープにおける弛みを解消して各片面粘着テープの張力を均等とし、引き続いて、粘着剤層が内側となっている状態で各片面粘着テープの残部の巻回を行うことを特徴とする請求項３又は４に記載の片面粘着テープ無芯巻回物の製造方法。
【請求項６】
前記巻取軸上の全ての片面粘着テープにおける弛みを解消する操作は、巻取軸上の片面粘着テープのうち、もっとも弛みの大きい片面粘着テープに他の片面粘着テープと同様の張力が懸かるまで、他の片面粘着テープを引っ張り、それらの前記折り返し端部を巻回物外周面上で部分的に後退させる操作であることを特徴とする請求項５記載の片面粘着テープ無芯巻回物の製造方法。
【請求項７】
正転方向及び逆転方向に回転を切り替えることができ、巻取軸上に複数列の片面粘着テープの各基材面側端部を仮固定する手段を備えた片面粘着テープ巻取軸、片面粘着テープ巻取軸に片面粘着テープを１周以上の設定長さで巻回されたことを検知する片面粘着テープ巻回量検知装置、片面粘着テープ巻回量検知装置からの設定巻回量の検知情報によって前記巻取軸の回転方向を逆転させる巻取軸駆動制御装置、前記回転方向が逆転された際の巻取軸上の複数列の片面粘着テープに懸かる張力を検知する張力検知装置、巻取軸を公転させて巻取軸上の複数の片面粘着テープに懸かる張力が均等となるまで巻き戻すためのターレット軸及び張力検知装置からの指令によって複数列の片面粘着テープの巻取張力が均一となるように前記ターレット軸の回転を制御するターレット軸制御装置を有することを特徴とする片面粘着テープ無芯巻回物の製造装置。
【請求項８】
前記張力検知装置からの指令によって複数列の片面粘着テープの巻取張力が均等となるように全片面粘着テープの張力を制御する装置として、ダンサーロールをさらに有することを特徴とする請求項７記載の片面粘着テープ無芯巻回物製造装置。
【請求項９】
前記巻取軸は、直径方向に拡張・縮小可能なリーフタイプのエアシャフトを有することを特徴とする請求項７又は８に記載の片面粘着テープ無芯巻回物の製造装置。
【請求項１０】
前記巻取軸は、片面粘着テープ端部を仮固定する手段として、摩擦係数の大きなゴム部材及び／又は剪断方向に強い粘着性を示すが垂直方向には殆ど粘着性を示さない粘着剤層が巻取軸上に設置されていることを特徴とする請求項７〜９のいずれか１項に記載の片面粘着テープ無芯巻回物の製造装置。
【発明の詳細な説明】
【０００１】
【発明の属する技術分野】
本発明は、片面粘着テープの無芯巻回物とその製造方法及びその製造装置に関する。特に、本発明は、基材の片面に粘着剤層を有する片面粘着テープの無芯巻回物とその製造方法及び製造装置に関する。
【０００２】
【従来の技術】
従来、粘着テープは厚さ０．５ｍｍ〜５ｍｍの円筒紙管や円筒プラスティックを芯材として巻回して提供されている。これは粘着テープ巻回物の形状をいつまでも円筒形に保って使い易くする目的と、粘着テープの自動製造設備が機械的強度のある芯を必要としていたことにある。
【０００３】
近年、環境への配慮から、芯材の体積、重量をできるだけ少なくし、ゴミとなる部分を少なくするための発明が各種提案されている。
たとえば、特開２００１−１２２５２４号公報にはフイルムなどを芯材とした粘着テープ巻回物が記載されているし、特開平９−２５５９２６号公報には、筒状のフィルムなどを芯材としたものが記載されている。しかし、これらの巻回物の場合も、粘着テープ本来の機能に含まれず、テープ使用後は不要になって最終的にはゴミになるマイナス資産である芯材を有している。
【０００４】
また、通常の粘着テープ巻回物の製造工程では、複数の芯材のそれぞれに、スリットして形成した複数の粘着テープを同時に巻回する方法が採られているが、この方法では、テープを巻回する前に巻取軸に複数の芯材を装着し、スリットされた粘着テープの流れの位置と各芯材の位置とを正確に一致させるという熟練を要する作業が必要である。この複数芯材の位置合せの際に少しでも位置ずれがある状態で巻回すると、隣接して巻回されている粘着テープが隣の芯材に重なってしまうため作業を中断しなければならない。このような事態を避けるためには、図４に示すようにスリットされた粘着テープを１本置きに２つの巻取軸に振り分けなければならず、装置が複雑化する。
【０００５】
また、スリットされた複数の粘着テープを同じ軸に巻回する場合、テープ厚さの微妙な差により巻回物外径が変化するため、全てのスリットされたテープの張力が一定とはならない。この外径変化は、粘着テープの厚さをできるだけ均一にすることにより減少させることが可能である。しかし、巻回を何度か繰り返していると、微妙な外径変化でもそれが累積され、巻き取りが出来なくなってしまうことが起こる。その解決策としては、巻き芯を巻き取り軸からあるトルクで滑らせる機構を設けることが挙げられるが、この機構は複雑であり、さらに小さな張力で巻回したい場合にはトルクの微調整が極めて難しい。
【０００６】
また、従来の芯材を有する粘着テープを製造する機械は、テープ巻回物の内径が芯材の内径で決まってしまうため、これを変更するには、芯材が紙であれば、紙管製造工程まで遡って紙管製造設備のシャフトを製作し、内径の異なる紙管を製造しなければならず、顧客の様々な巻回物形状の要求に迅速に対応できないという問題がある。
【０００７】
【発明が解決しようとしている課題】
本発明は、紙芯材（紙管）やプラスティック芯材はもちろん、フィルム芯材をも使わない、完全に粘着テープのみからなる巻巣・変形等の生じない粘着テープ無芯巻回物を提供することを目的とするものである。
特に、本発明は、粘着テープ巻回物の内径の変更に簡単に対処することができる粘着テープ無芯巻回物の製造方法と該製造方法を実施するための粘着テープ無芯巻回物の製造装置を提供することを目的とするものである。
【０００８】
【課題を解決するための手段】
上記目的を達成することができる本発明は、以下の各発明を包含する。
【０００９】
（１）基材の片面に粘着剤層を設けた片面粘着テープの無芯巻回物であって、該巻回物の中空部側に位置する片面粘着テープの巻き始め端部から最初の１周以上の部分が粘着剤層を外側として巻回され、次いで片面粘着テープが最初の１周以上の部分の巻回方向と反対方向に折り返され、それによって形成される折り返し端部を起点として片面粘着テープの残部が巻き始めの巻回方向と反対方向に粘着剤層を内側として巻回されていることを特徴とする片面粘着テープ無芯巻回物。
【００１０】
（２）片面粘着テープの前記粘着剤層を外側として巻回されている部分が、巻き始め端部から１周以上、２周以内の巻回部分であることを特徴とする（１）項記載の片面粘着テープ無芯巻回物。
【００１１】
（３）巻取軸上に粘着剤層を外側として片面粘着テープの巻き始め端部を仮固定して一周以上巻回し、次いで、片面粘着テープを折り返して折り返し端部を形成し、該折り返し端部から粘着剤層を内側として片面粘着テープ残部の巻回を行い、巻回終了後、巻取軸から片面粘着テープ巻回物を引き抜くことを特徴とする片面粘着テープ無芯巻回物の製造方法。
【００１２】
（４）片面粘着シート巻回物から繰り出される片面粘着シートを所定幅に切断して供給される並列する複数の片面粘着テープ群の各巻き始め端部を同一巻取軸上に粘着剤層を外側として仮固定して一周以上巻回し、次いで、巻取軸の回転を逆転させて各片面粘着テープを反対方向に折り返し、それによって形成された折り返し端部を起点として粘着剤層を内側として各片面粘着テープの残部の巻回を行い、巻回終了後、各片面粘着テープ巻回物を巻取軸から引き抜くことを特徴とする片面粘着テープ無芯巻回物の製造方法。
【００１３】
（５）　前記折り返し端部から粘着剤層を内側として各片面粘着テープの残部の巻回を行う際に、前記折り返し端部から反対方向への巻回に先だって、巻取軸上の全ての片面粘着テープにおける弛みを解消して各片面粘着テープの張力を均等とし、引き続いて、粘着剤層が内側となっている状態で各片面粘着テープの残部の巻回を行うことを特徴とする（３）項又は（４）項に記載の片面粘着テープ無芯巻回物の製造方法。
【００１４】
（６）前記巻取軸上の全ての片面粘着テープにおける弛みを解消する操作は、巻取軸上の片面粘着テープのうち、もっとも弛みの大きい片面粘着テープに他の片面粘着テープと同様の張力が懸かるまで、他の片面粘着テープを引っ張り、それらの前記折り返し端部を巻回物外周面上で部分的に後退させる操作であることを特徴とする（５）項記載の片面粘着テープ無芯巻回物の製造方法。
【００１５】
（７）正転方向及び逆転方向に回転を切り替えることができ、巻取軸上に複数列の片面粘着テープの各基材面側端部を仮固定する手段を備えた片面粘着テープ巻取軸、片面粘着テープ巻取軸に片面粘着テープを１周以上の設定長さで巻回されたことを検知する片面粘着テープ巻回量検知装置、片面粘着テープ巻回量検知装置からの設定巻回量の検知情報によって前記巻取軸の回転方向を逆転させる巻取軸駆動制御装置、前記回転方向が逆転された際の巻取軸上の複数列の片面粘着テープに懸かる張力を検知する張力検知装置、巻取軸を公転させて巻取軸上の複数の片面粘着テープに懸かる張力が均等となるまで巻き戻すためのターレット軸及び張力検知装置からの指令によって複数列の片面粘着テープの巻取張力が均一となるように前記ターレット軸の回転を制御するターレット軸制御装置を有することを特徴とする片面粘着テープ無芯巻回物の製造装置。
【００１６】
（８）前記張力検知装置からの指令によって複数列の片面粘着テープの巻取張力が均等となるように全片面粘着テープの張力を制御する装置として、ダンサーロールをさらに有することを特徴とする（７）項記載の片面粘着テープ無芯巻回物製造装置。
【００１７】
（９）前記巻取軸は、直径方向に拡張・縮小可能なリーフタイプのエアシャフトを有することを特徴とする（７）項又は（８）項に記載の片面粘着テープ無芯巻回物の製造装置。
【００１８】
（１０）前記巻取軸は、片面粘着テープ端部を仮固定する手段として、摩擦係数の大きなゴム部材及び／又は剪断方向に強い粘着性を示すが垂直方向には殆ど粘着性を示さない粘着剤層が巻取軸上に設置されていることを特徴とする（７）項〜（９）項のいずれか１項に記載の片面粘着テープ無芯巻回物の製造装置。
【００１９】
【発明の実施の形態】
広幅の片面粘着シートの巻回物から繰り出され、スリットされた複数の並列する片面粘着テープ群を同一の巻取軸で巻回する場合、テープ厚さの微妙な差等により巻回数を重ねるにしたがって各巻回物間に外径差が生じ、全てのスリットされたテープの張力が一定でなくなり、各巻回物を均等に巻き取りすることができなることがある。本発明は、巻取の初期段階で各巻回物に巻き取られる片面粘着テープの張力が均等となるように調整することにより、前記のような張力の不均一の誤差を次の巻取工程に持ち越すことなくすることにより、巻き取りができなくなるようなことを防ぐものである。
以下、図面を参照して本発明の粘着テープ無芯巻回物とその製造方法及び装置を説明する。
【００２０】
図１は、本発明の一実施例である片面粘着テープ無芯巻回物の側面図であり、図２は、片面粘着テープ無芯巻回物の巻き始め端部と折り返し端部の状態を示す部分断面図である。
図３は、広幅の片面粘着シートを均等幅に切断して供給される並列する片面粘着テープの一群から本発明の片面粘着テープ無芯巻回物を同一巻取軸で製造する装置における巻取軸部分の巻回時の状態を示す図であり、図４は、並列する片面粘着テープから片面粘着テープ無芯巻回物を２本の巻取軸で製造する従来の装置における巻取軸部分の巻回時の状態を示す図である。
【００２１】
図５は、本発明の片面粘着テープ無芯巻回物の製造装置及び方法における粘着テープの巻取装置を説明する図である。また、図６は、本発明の片面粘着テープ無芯巻回物の製造装置における巻取軸の駆動機構を説明する図である。
図７は、並列する片面粘着テープの巻き始め部分で一方の片面粘着テープに弛みが生じている状態を示す図（イ）及び（ロ）と、一定の巻き取り後に巻き取り方向を反転させて折り返し端部を形成させた状態で一方の粘着テープ（図中、上方＝右側の粘着テープ）になお弛み（点線部分）が生じている状態を示す図（ハ）、及び該粘着テープに生じた弛みをとるために、弛みが生じていない粘着テープ側を、弛みが生じている粘着テープの弛みが解消されて両粘着テープに懸かる張力が均等となるまで巻き戻した場合の状態を示しており、特に各粘着テープの折り返し先端部に位置ずれが生じている状態を示す図（ニ）をそれぞれ示している。
図８は、巻取軸１２（１３）の固定２１へ片面粘着テープ１１の先端部固定領域２０を仮固定する場合の状態を示している。
【００２２】
図１及び図２において、符号１は片面粘着テープ無芯巻回物、２は折り返し端部、３は巻き始め端部、４は無芯巻回物の中空部、５は片面粘着テープ巻回物の内周面、６は片面粘着テープ巻回物の外周面、７は基材、８は粘着剤層を示す。
【００２３】
図１に示すように、片面粘着テープ無芯巻回物１は、片面粘着テープの端部３の固定領域を巻取軸（図示せず）面に仮固定した状態で、粘着剤層（８）の反対側の基材（７）側を内向きにして時計回り方向に１周以上となる位置まで巻回し、次いで該位置を折り返し端部２として巻回方向を逆転させ、以後は粘着剤層（８）を内向きに反時計回り方向に巻回して製造されており、最終的に基材（７）面が外側となっている片面粘着テープ無芯巻回物である。この構造の本発明の粘着テープ無芯巻回物は、その内周面５と外周面６ともに基材側であり、粘着性がない。
【００２４】
片面粘着テープ無芯巻回物の巻き始めにおける折り返し端部２の位置は、通常、巻き始めから１周以上の位置である。しかし、２周以上巻回した後の適当な位置とすることも可能である。但し、２周以上巻回して折り返した巻回物は、粘着テープを繰り出して使用した場合の最後の部分となる折り返し端部から巻き始め端部までの粘着テープ部分を効率良く利用することが困難であるばかりでなく、折り返し端部２までの巻回数が多くなると、巻回物の巻き姿が折り返し端部で突出した形状となることが多い。そのことからも、折り返し端部までの粘着テープの巻回長さは１周以上の部分が必要最小限となっているいることが望ましい。
通常、図２（イ）に示されるように巻き始め端部３を少し越えた位置であるか、図２（ロ）に示されるように、巻き始め端部と同じ位置であることが好ましく、特に図２（イ）の位置であると折り返し後の粘着テープの弛みの解消操作を行いやすいことから好ましい。
【００２５】
本発明の片面粘着テープ無芯巻回物は、上記のような折り返し端部で片面粘着テープを折り畳んで重ねた箇所の厚さが、そのまま巻回を重ねて巻回物を形成した場合の巻き姿に大きな影響を与えるほどに厚くなることのない厚さの基材を使用しているものであれば、巻回物製品としてこの折り返し部がほとんど目立たないものとなる。この理由は、巻取軸上の巻回物の巻き姿において、該折り返し端部に僅かな段差が生じているものとなったとしても、巻回物を巻取軸から引き抜いた状態では、該段差は芯材がない中空部（内周側）に現れて、巻回物外周は通常製品と同様に均一な円形外観となることにある。
【００２６】
次に、上記片面粘着テープ無芯巻回物の製造方法について説明する。前述したように、通常の芯材を使用した粘着テープ巻回物の場合は、図４に示すような広幅の粘着シート９を切断刃１０でスリットした片面粘着テープ１１，１１……を１本置きに２つの巻取軸１２に振り分けた状態で巻回して製造されているが、本発明の粘着テープ無芯巻回物の場合は、図５及び図６に示されるような装置によって巻き始めから一周以上の巻回後に巻回方向を逆転させる際に粘着テープの弛みを解消してしまうために、図３に示すような広幅の粘着テープ９を切断刃１０でスリットした状態で送られてくる並列する複数の粘着テープ１１を同一巻取軸に直接巻回して製造することができる。
【００２７】
図５及び図６の装置において、符号１２、１３は一方（図５では１３）が交換用として待機している巻取軸、１４は粘着シートの張力調整用のダンサーロール、１５は張力検知装置、１６はターレット軸、１７、１８は巻取軸１２と１３を独立に回転させる巻取軸駆動モーター、１９はターレット駆動モーターを示す。
【００２８】
図５に示すように、本発明の装置は、２本の巻取軸１２，１３を持ち、図６に示すように、この２本の巻取軸の中心でターレット軸１６が回転して２本の巻取軸を一体に公転させる構造である。２本の巻取軸１２、１３とターレット軸１６はそれぞれ独立したモーター１７，１８及び１９で回転される。
【００２９】
まず、第一の巻取軸１２に片面粘着テープ１１の基材側を当接し、粘着剤層を上向きにした状態でその先端固定領域（図７及び図８における符号２０）を巻取軸１２上の固定部（図８における符号２１）に仮固定し、１周と少し巻いた後、巻取軸１２の回転方向を逆転させて巻取軸上に巻き取られている片面粘着テープの折り返し端部（図１及び図２における符号２）を形成する。この時の片面粘着テープ１１の巻回量は、片面粘着テープ巻回量検知装置で検知し、予め設定された巻回量に達したら、巻取軸駆動装置を作動させて巻取軸の回転を逆転させる。この巻取軸回転後に全ての片面粘着テープ１１に懸かる張力は張力検知装置１５で検知され、いずれかの片面粘着テープに生じている弛みは張力の減少値Ｔとして検知される。張力減少値Ｔが検知されると、その情報はターレット軸制御装置及び／又はダンサーロール制御装置に送られる。
【００３０】
張力減少値Ｔがターレット軸制御装置に送られると、ターレット駆動モーター１９は巻取軸１２（及び１３）をターレット軸１６の回転によって公転させ、巻取軸から片面粘着シートを引っ張る方向に移動させ、巻取軸１２に巻き取られている粘着テープ群の中の弛みが生じていないか、又は弛みの程度が少ない片面粘着テープ群を引っ張って巻取軸から引き剥がし、弛みが最も大きい片面粘着テープの弛みが解消されて全片面粘着テープに懸かる張力が均等となるようにする。
【００３１】
この全片面粘着テープに懸かる張力を均等とする操作は、上述のようにターレット駆動モーター１９によって巻取軸を公転させる以外に、張力減少値Ｔをダンサーロール制御装置に送ることにより図５に示されているダンサーロール１４を矢印方向に移動させて片面粘着テープを引っ張ることによって行うこともできる。
全片面粘着テープに懸かる張力が均等となったことを検知すると、巻取軸は、巻き始め時とは反対方向に回転され、片面粘着テープ１１の粘着剤層８を内向きとした巻回操作が行われる。
【００３２】
巻取軸１２、１３は、図８に一例を示すように、リーフタイプのエアシャフトと同様にラグ２３とゴムチューブ２４を有し、ゴムチューブ２４に圧搾空気を圧入することによりラグ２３を押し上げて直径方向に拡張（外径が増大）させる機構を有している。また、この機構としては、他に知られているメカニカルタイプの方式を採用してもよい。巻取軸１２，１３の周面上の一部には摩擦係数が大きなゴム、あるいはせん断方向には強い粘着性を示すが、垂直方向には粘着性を示さない粘着テープ２５等が装着されており、その部分に吸引室２６、吸引口２７を有している固定部２１を構成している。
【００３３】
巻取軸１２，１３とターレット軸１６はそれぞれ独立したモーター１７，１８，１９により駆動され、いずれも正転、逆転が自在にできる。ダンサーロール１４はエアーシリンダーにより圧縮空気の圧力で駆動され、片面粘着テープの弛みを取る張力は、その空気圧力を電空変換器を経て電気制御することにより変化させて得られる。
【００３４】
本発明の片面粘着テープ無芯巻回物を製造するための巻回操作は、図８に示すように、まず、エアシャフトである巻取軸１２を設定された巻回物の内径と同一の径まで拡張（外径が大きい状態）し、巻取軸の固定部２１に片面粘着テープ端部の固定領域２０をその基材面（非粘着性面）を下にして乗せる。次に巻取軸内部の吸引室２６の圧力を下げることにより吸引口２７で片面粘着テープ端部の固定領域２０を吸引して固定する。さらに必要により、片面粘着テープ端部の固定領域２０の上部から圧縮空気を吹き付けて片面粘着テープ端部の固定領域２０と固定部２１の間に大きな摩擦力を発生させ、片面粘着テープ端部の固定領域２０を仮固定することもできる。片面粘着テープ面に吹き付ける圧縮空気は、巻取軸１２が回転し始めた後は不要になる。この状態で巻取軸１２を回転させることにより、片面粘着テープ端部の固定領域２０を巻取軸上に固定したままで、片面粘着テープにある程度の張力を加えながら粘着剤面を外側にして一周以上巻回する。
【００３５】
一回転以上巻き取ったのち、巻取軸の回転を反転させる。この時、巻取軸だけの制御では片面粘着テープ群全体が弛んでしまい全てのテープにシワが入ってしまう。本発明の装置及び方法では、巻取軸１２の回転を反転するときにターレット軸１６も回転させ（回転方向は正逆どちらでも良い）、片面粘着テープ群全体を引っ張ってこの巻取軸の反転時の弛みを取ってやる制御を行う。このときの片面粘着テープ全体の弛みは片面粘着テープ全体の張力減少値Ｔ１として張力検出器１５に検出されるので、この値Ｔ１を、テープの巻回物からの剥離力Ｆよりは小さいが、テープが弛まない程度の適当なテープ張力Ｔ＝Ｔ１（Ｔ１＜Ｆ）となるようにターレット回転速度を制御して弛みを取ることができる。テープの反転から１回転以上すると定常巻回操作になるので、ターレット軸１６はその位置で固定する。制御の方法は、ターレット軸１６を定速度で回転し、逆に巻取軸１２の回転数をテープ張力が一定になるように制御しても良い。
【００３６】
上記のように巻取軸の反転時のテープ全体の弛みを巻取軸１２のターレット回転（公転）で解消する場合、張力値Ｔ１の程度によって回転角度が決まるため、定常巻回操作に入ったとき２本の巻取軸１２、１３の相対位置は一定に設定できないので、巻取軸１２、１３の相対位置を定位置として定常巻き取りを行わなくてはならない、という制約がある場合には、巻取軸を反転するときターレットの回転を行わず、このテープ全体の弛みをダンサーロール１４で取ることが好ましい。この場合も張力検出器１５で検出される張力Ｔ＝Ｔ１を、剥離力Ｆよりは小さいがテープが弛まない程度（Ｔ１＜Ｆ）となるようにエアシリンダーに供給する空気圧力を制御する。この空気圧制御は電空変換器を介して電気制御して行われる。
【００３７】
所定の長さの巻回が終了したら巻取軸の回転を停止し、片面粘着テープの基材面（非粘着性面）が他方の巻取軸１３と接するまでターレット軸１８を回転させる。そして、新しい巻取軸１３の固定部２１と片面粘着テープ端部の固定領域２０の基材面（非粘着性面）とが接するように回転軸１３を回転させて位置を合わせる。巻取軸の固定部２１が片面粘着テープ端部の固定領域２０を前記したように仮固定したら、巻回が終了している巻取軸１２上の巻回物と巻取軸１３上の前記仮固定部との間で片面粘着テープを切断し、引き続き、巻取軸１３によって前記巻取軸１２の場合と同様の巻回操作が行われて次の巻回物が製造される。
【００３８】
製造された片面粘着テープ巻回物１の巻取軸１２からの排出は、次の巻取軸１３が反転を終了して定常巻回操作を行っている間に行う。巻取軸１２への圧縮空気の供給を停止して外径を収縮させると、巻取軸の固定部２１と片面粘着テープ端部の固定領域２０における基材面との間には接触圧力が無くなり、摩擦力が消滅する。そうすると、片面粘着テープ無芯巻回物１と巻取軸１２との間には隙間ができるので、容易に片面粘着テープ無芯巻回物１を巻取軸１２から取り外すことができる。
【００３９】
広幅の片面粘着シートを切断刃でスリットして並列する複数の片面粘着テープ群として、同一巻取軸でこれらを一緒に巻回する場合に、各テープ間に弛みの差が生じた場合には、前述したように、図７に示される手順にしたがって各テープ間の弛みをとる操作が行われる。上述したように、巻取軸を反転したときにできるテープ全体の弛みは張力Ｔ＝Ｔ１（Ｔ１＜Ｆ）で吸収したが、各テープ間の弛みの差を解消する場合は、張力ＴをＴ＝Ｔ２（Ｔ２＞Ｆ）とし剥離力Ｆよりも大きくすることにより、図７の（イ）に示す特定の片面粘着テープの弛み２２を解消することができる。つまり、巻回したテープを少し巻き戻すことになるが、この際の巻き戻し量は、弛んでいない部分の方が弛んだ部分に比べて少し多くなり、その分、巻き始め部分が他の弛んだ片面粘着テープの弛みが解消されるまで少し巻き戻されることとなり、結果的にスリットされた全ての片面粘着テープの弛みがなくなる。そして、弛んでいたテープと弛んでいなかったテープでは、テープ折り返し端部２は図７（ニ）のように巻取軸１２の円周上でその位慣がずれることになることは前述したとおりである。
【００４０】
巻取軸１２で設定の長さの片面粘着テープを巻回した後、ターレット軸１６を回転させ片面粘着テープの基材面を巻取軸１３の固定部２１へ接触させ、真空吸引し、場合によっては圧縮空気を吹き付けて巻取軸１３へ密着させた後、巻取軸１２と巻取軸１３の間でテープを切断する。このとき巻取軸上には巻芯がないので巻芯とテープの位置を合わせる必要がない。
【００４１】
【発明の効果】
本発明に係る片面粘着テープ無芯巻回物は、巻回物最内周面、巻回物最外周面ともに基材面であって粘着性がないので、巻芯がある粘着テープと同様な方法で保存、携行、使用を行うことができる。また、巻回物をすべて粘着テープで構成しているので、使用した後の残存物が減少しゴミとなって廃棄する量が減少するし、廃棄するゴミも全てが巻き始め部分の粘着テープであるため、分別する必要がない。
また、自着力が小さく、粘着面同士の剥離が容易な粘着剤を使用している粘着テープを本発明の無芯巻回物とすると、巻回物全てを粘着テープとして使うことが可能で、ゴミがゼロとなる。
【００４２】
巻回物がすべて粘着テープであることにより、温度、湿度等外部の環境変化で発生する巻巣・ワン状変形等の発生も防ぎ、さらに、巻芯を有する粘着テープ巻回物の場合には芯材の抜け落ちが生起するような幅の狭い巻回物をも製造することができる。
【００４３】
また、巻芯のある粘着テープ巻回物では、その内径は巻芯の内径であるので、異なった内径の巻回物を生産するにはその部品である芯材の内径を変更する必要があるが、本発明の無芯巻回物は、粘着テープ巻回物を生産する工程で径を変更できる巻取軸を使用するだけで内径を自由に選択することができる。
【００４４】
また、旧来の粘着テープスリッター巻回物では、テープ端を巻芯に固定するので、巻芯とテープの位慣が微妙にずれていていると、粘着テープが隣接する巻芯にも巻回されてしまう不都合があり、２本の巻取軸に隣り合ったテープを振り分ける必要があったが、本発明の巻回装置では、１本の巻き取り軸に直接巻回することができるため、巻芯と粘着テープの位置合わせの必要でなく、その分、巻取工程が簡素化されていて作業効率が増大する。
【図面の簡単な説明】
【図１】本発明の片面粘着テープ無芯巻回物の側面図である。
【図２】本発明の片面粘着テープ無芯巻回物の巻き始め端部と折り返し端部の状態を示す２例の部分断面図である。
【図３】広幅の片面粘着シートを均等幅に切断して供給される並列する片面粘着テープ群から本発明の片面粘着テープ無芯巻回物を同一巻取軸で製造する装置における巻取軸部分の巻回時の状態を示す図である。
【図４】並列する片面粘着テープから片面粘着テープ無芯巻回物を２本の巻取軸で製造する従来の装置における巻取軸部分の巻回時の状態を示す図である。
【図５】本発明の片面粘着テープ無芯巻回物の製造装置及び方法における粘着テープの巻取装置を説明する図である。
【図６】本発明の片面粘着テープ無芯巻回物の製造装置における巻取軸の駆動機構を説明する図である。
【図７】粘着テープの巻き始め部分における弛みの発生状態と、弛みを解消した場合の各粘着テープにおける折り返し端部のずれの状態を示す図である。
【図８】巻取軸の外周面に粘着テープ端部を固定する機構を説明するための巻取軸の断面図である。
【符号の説明】
１：片面粘着テープ無芯巻回物、２：折り返し端部、３：巻き始め端部、４：無芯巻回物の中空部、５：片面粘着テープ巻回物の内周面、６：片面粘着テープ巻回物の外周面、７：基材、８：粘着剤層、９：粘着シート、１０：切断刃、１１：粘着テープ、１２，１３：巻取軸、１４：ダンサーロール、１５：張力検知装置、１６：ターレット軸、１７，１８：巻取軸駆動モーター、１９：ターレット駆動モーター、２０：片面粘着テープ端部の固定領域、２１：巻取軸の固定部、２２：粘着テープの弛み部、２３：ラグ、２４：ゴムチューブ、２５：摩擦係数の高いゴム材、２６：吸引室、２７：吸引口
【図１】
2004035215.tif 000003
【図２】
2004035215.tif 000004
【図３】
2004035215.tif 000005
【図４】
2004035215.tif 000006
【図５】
2004035215.tif 000007
【図６】
2004035215.tif 000008
【図７】
2004035215.tif 000009
【図８】
2004035215.tif 000010